(57)【要約】【課題】  締結部材と被締結部材との摩擦力にねじのフランク面による摩擦力を加えることにより、安定化して弛み止めの信頼性を向上することができる締結部材を提供する。【解決手段】  締結部材は、一輪の角ねじ１ａが形成された第１の締結部材１と、複数輪の角ねじ２ｃが形成された第２の締結部材２とからなる。第１、第２の締結部材を螺合して被締結体３を所定の押圧力Ｆ１で締結したとき、押圧力Ｆ１と略等価な押圧力Ｆ２を第１の締結部材１の一輪の角ねじ１ａのフランク面１ｂに加え、第１の締結部材１の座面１ｅを被締結体３に押圧してときの摩擦力に、第１、第２の締結部材の角ねじのフランク面によって生ずる摩擦力を加える。【選択図】図１
2013148214.tif 000002
【特許請求の範囲】
【請求項１】
被締結体を締結する締結部材であって、
前記締結部材は、一輪の角ねじが形成された第１の締結部材と、複数輪の角ねじが形成された第２の締結部材とからなり、
前記第１、第２の締結部材を螺合して前記被締結体を所定の押圧力で締結したとき、該押圧力と略等価な押圧力を前記第１の締結部材の一輪の角ねじのフランク面に印加させることを特徴とする締結部材。
【請求項２】
第１の締結部材は一輪の角ねじが形成されたナットに構成し、第２の締結部材は複数輪の角ねじが形成されたボルトに構成して、該ボルトに前記ナットを螺合する請求項１に記載の締結部材。
【請求項３】
第１の締結部材としてのナットは、
軸線の回りに回動させるためのヘッド部と、該ヘッド部と一体に、ヘッド部の基部から、ヘッド部と同芯でヘッド部よりも径大となるよう延出端側が徐々に拡径する筒状に形成されるとともに、延出端面が被締結体に当接する座面に形成されたテーパ部とを備え、
前記テーパ部の内面が、円錐曲面に形成され、前記テーパ部の外面が、凹面状の曲面に形成され、
前記ヘッド部の内面に一輪の角ねじが形成された請求項１および２に記載の締結部材。
【請求項４】
第１の締結部材としてのボルトは、
軸線の回りに回動させるためのヘッド部と、該ヘッド部と一体に、ヘッド部の基部から、ヘッド部と同芯でヘッド部よりも径大となるよう延出端側が徐々に拡径する筒状に形成されるとともに、延出端面が被締結体に当接する座面に形成されたテーパ部とを備え、
前記テーパ部の内面が、円錐曲面に形成され、前記テーパ部の外面が、凹面状の曲面に形成され、
前記ヘッド部およびテーパ部と同芯に形成されたねじ軸がヘッド部と一体に形成され、前記ねじ軸に一輪の角ねじが形成された請求項１および２に記載の締結部材。
【請求項５】
第２の締結部材は、前記被締結体に形成されたねじ孔に構成し、該ねじ孔に複数輪の角ねじが形成される請求項１に記載の締結部材。
【発明の詳細な説明】
【技術分野】
【０００１】  本発明は、ナットおよびボルト等の、ねじ作用を利用して部材を締め付け固定する締結部材に関し、より詳細には、弛み止め作用を備えた締結部材に関する。
【背景技術】
【０００２】  部品、部材の締め付け固定に使用する締結部材として、ナットおよびボルトは種々の分野に広く使用されてきた。これらのナットおよびボルトは、部品、部材を締め付けて固定するためのものであるが、これらの締結部分に振動が繰り返して作用するとナットやボルトが緩むという問題があり、ナットやボルトの弛み止めを目的として、平板ワッシャやスプリングワッシャを使用することが多用されている。【０００３】  ところが、平板ワッシャやスプリングワッシャを使用しても、用途によってはナットやボルトが弛むをいう問題は依然として解消されない。このため、ナットおよびボルト等の弛み止めに関して、多数の手段や方法が提案され、一部が実用に供されている。例えば、特許第４４９５８４９号公報（特許文献１）に開示された弛み止めナットは、ネジ孔が貫通状に形成された下ナットと上ナットとからなり、下ナットには、ネジ孔の周りに軸方向外方にしたがって縮径するテーパ状の外周面を有する凸部が形成され、該凸部の外周面はネジ孔に対して微小量偏心されており、上ナットには、下ナットの凸部が嵌合する凹部が形成され、該凹部の内周面はネジ孔と同心状とされている。このように、凸部と凹部とを偏心させることにより、両ナットを締め付けた際にナットがそれぞれネジ孔軸心に対して径方向にずれ込み、ネジ軸に径方向の応力が作用することによるくさび効果によって弛み止めを行おうとしている。【０００４】  また、特開２００５−１４０２７２号公報（特許文献２）に開示された弛み止めナットは、ナットに、その外周面からナット３の雌ねじ軸心に対して外周面の両方向から溝部を切り欠き形成し、ナット３の雌ねじを、締結固定対象物に固定されたボルトの雄ねじに螺合させて所定の締め付けがなされたときに、弾性材でなる弛み止め部材をナットの溝部に入れることにより、ボルトの雄ねじ周面及び雄ねじの谷部斜面に加圧状態で押圧接触させることにより弛み止めを行うようにしている。【０００５】  特許文献１に例示した弛み止めナットは、いわゆるダブルナットを用いて弛み止めを行っているが、２個のナットとボルトのねじの向きが同じであり、振動が繰り返して作用することによりダブルナットが回転するため、緩むという問題は依然として解消されない。また、特許文献２に例示した弛み止めナットにおいても、ボルトの雄ねじ周面にナットを加圧状態で押圧接触するものであり、やはり振動が繰り返して作用することにより緩むことがあるため、信頼性に乏しい問題があった。【０００６】  この問題を解決するため、ダブルナット方式を採用した弛み止めナットにおいて、２個のナットを逆ねじに構成して弛み止めを行うことも提案されている。例えば、特開２００３−３０１８２９号公報（特許文献３）は、ナットの外周面でそのボルト頭部側に、そのナットの内周面ねじとは逆方向にねじが形成された逆ねじ軸を設け、この逆ねじ軸にロックナットをねじ込むことによりナットのボルトからの弛み止めを行うようにしている。このように構成することにより、振動などが付加されてナットが緩もうとすると、ロックナットが締まる方向に作用して弛み止めが可能であるとしている。
【先行技術文献】
【特許文献】
【０００７】
【特許文献１】特許第４４９５８４９号公報
【特許文献２】特開２００５−１４０２７２号公報
【特許文献３】特開２００３−３０１８２９号公報
【発明の概要】
【発明が解決しようとする課題】
【０００８】  しかしながら、特許文献３に開示されたダブルナット方式において、逆ねじ軸を設けた弛み止めナットであっても、締め付け力を厳密に所定の値に管理しなければ、２個のナットが回転して弛みを生ずる問題がある。この理由について図７を用いて説明する。ボルト１００は、被締結体１０１、１０２に設けた貫通孔に挿通され、ナット１０３をボルト１００に螺合させて締め付け固定している。このとき、ナット１０３を大きな力で締めると、通常の状態では被締結体１０１の表面が平坦であるにも関わらず、被締結体１０１がナット１０３によって陥没する。この陥没により、図７に示すように、ボルト１００に近い内側とナット１０３の外周に近い外側が大きく凹み、中央に隆起部１０１ａが生ずるといった特異応力が生ずる。このため、ナット１０３の座面と被締結体１０１との接触面の面積が小さくなり、この結果、接地面の摩擦力が減少して弛み易くなる。従って、締め付け力を厳密に管理しなければ、逆ねじ軸を設けた弛み止めナットの特徴を発揮することができない。このような弛み現象は、上述した特許文献１乃至３に開示された弛み止めナットにおいても同様であり、弛み止め効果を有すると言えども、定められた特定の締め付け力管理次第で弛みが生ずる重大な問題があった。【０００９】  本発明が解決しようとする課題は、締結部材と被締結部材との摩擦力にねじのフランク面による摩擦力を加えることにより、安定化して弛み止めの信頼性を向上することができる締結部材を提供することにある。
【課題を解決するための手段】
【００１０】  そこで、本発明による締結部材は、一輪の角ねじが形成された第１の締結部材と、複数輪の角ねじが形成された第２の締結部材とからなる。前記第１、第２の締結部材を螺合して前記被締結体を所定の押圧力で締結したとき、該押圧力と略等価な押圧力を前記第１の締結部材の一輪の角ねじのフランク面に印加させて、締結部材の座面を被締結体に押圧してときの摩擦力に、第１、第２の締結部材の角ねじのフランク面によって生ずる摩擦力を加えるようにしている。【００１１】  また、第１の締結部材は一輪の角ねじが形成されたナットに構成し、第２の締結部材は複数輪の角ねじが形成されたボルトに構成して、該ボルトに前記ナットを螺合するようにしている。【００１２】  さらに、第１の締結部材としてのナットには、軸線の回りに回動させるためのヘッド部と、該ヘッド部と一体に、ヘッド部の基部から、ヘッド部と同芯でヘッド部よりも径大となるよう延出端側が徐々に拡径する筒状に形成されるとともに、延出端面が被締結体に当接する座面に形成されたテーパ部とが備えられ、前記テーパ部の内面は円錐曲面に形成され、前記テーパ部の外面には、凹面状の曲面に形成され、前記ヘッド部の内面には、一輪の角ねじが形成される。【００１３】  第１の締結部材としてのボルトには、軸線の回りに回動させるためのヘッド部と、該ヘッド部と一体に、ヘッド部の基部から、ヘッド部と同芯でヘッド部よりも径大となるよう延出端側が徐々に拡径する筒状に形成されるとともに、延出端面が被締結体に当接する座面に形成されたテーパ部とが備えられ、前記テーパ部の内面は円錐曲面に形成され、前記テーパ部の外面は凹面状の曲面に形成され、前記ヘッド部およびテーパ部と同芯に形成されたねじ軸がヘッド部と一体に形成され、前記ねじ軸に一輪の角ねじが形成される。【００１４】  第２の締結部材としては、ねじ孔を形成した被締結体により構成し、被締結体のねじ孔に複数輪の角ねじを形成することが可能である。
【発明の効果】
【００１５】  本発明によれば、第１の締結部材に一輪の角ねじを形成することにより、複数輪の角ねじが形成された第２の締結部材に第１の締結部材を螺合して、被締結体を所定の押圧力で締結したとき、この押圧力と略等価な押圧力が第１の締結部材の一輪の角ねじのフランク面に印加されるので、第１の締結部材の座面を被締結体に押圧してときに生ずる摩擦力に、第１、第２の締結部材の角ねじのフランク面によって生ずる摩擦力を加えることから、摩擦力を加えることにより、安定化して弛み止めの信頼性を向上することができる。すなわち、第１の締結部材に形成する角ねじを一輪にすることにより、第１の締結部材の角ねじのフランク面の全面に対して、第２の締結部材の角ねじのフランク面を均一に圧接させることができる。従って、両者の角ねじのフランク面どうしの圧接面積が大きくなるので、摩擦力が増大することから、この角ねじ軸分による弛み止め効果を増大させることが可能となる。【００１６】  また、第１の締結部材には、ヘッド部から徐々に筒状に拡径させたテーパ部を形成し、その端面に被締結体に当接させる座面を形成しているので、ヘッド部よりも大きい外径寸法の座面によって、被締結体との摩擦力が大きくなるので、弛み止め効果を大幅に向上させることができる。さらに、第１の締結部材には、テーパ部の座面側に内周側ねじ軸の内径よりも大きくした空間部を形成しているので、例え、必要以上の力により締め付けたときに、被締結体に特異応力が加わることによって隆起部が生じた場合であっても、この隆起部が空間部に対応位置するので、摩擦力の低下を未然に防止することができる。【００１７】  さらに、第１の締結部材に形成されたテーパ部の延出端面の座面を被締結体に押圧したときには、テーパ部の延出端面側が放射方向に弾性変形する或いは弾性変形させることが可能であり、この結果、例え必要以上の力により締め付けても、弾力により締め付け力が吸収されるので、特異応力による被締結体の隆起部の発生を抑制することが可能となる。しかも、適当な力で締め付けた場合には、第１の締結部材のテーパ部の弾力によって座面が被締結体に押圧されるので、両者間の摩擦力が所定範囲で維持されることから、弛み止め効果を一定に維持することが可能となる。【００１８】  さらにまた、第２の締結部材を、被締結体によって構成し、この被締結体に形成したねじ孔に複数輪の角ねじを形成することにより、周知の一般的な加工工法によって第２の締結部材を容易に製造することができる。
【図面の簡単な説明】
【００１９】
【図１】本発明に関わる締結部材の被締結体への締結状態を示す断面図である。
【図２】本発明に関わる締結部材の分解断面図である。
【図３】本発明に関わる締結部材の底面図である。
【図４】第１の締結部材の一輪の角ねじを示す斜視図である。
【図５】本発明に関わる締結部材と被締結体との作用を示す説明図である。
【図６】第１の締結部材の一輪の角ねじの変形例を示す部分断面図である。
【図７】第１の締結部材をボルトとした実施例を示す断面図である。
【図８】第２の締結部材を被締結体に形成した実施例を示す断面図である。
【図９】第１の締結部材の変形例を示す断面図である。
【図１０】図９に示す実施例における締結状態を示す説明図である。
【図１１】従来の締結部材を示す断面図である。
【発明を実施するための形態】
【００２０】  ねじ作用により被締結体を締結する締結部材は、一輪の角ねじが形成された第１の締結部材と、複数輪の角ねじが形成された第２の締結部材とからなる。前記第１、第２の締結部材を螺合して前記被締結体を所定の押圧力で締結したとき、該押圧力と略等価な押圧力を前記第１の締結部材の一輪の角ねじのフランク面に印加させて、締結部材の座面を被締結体に押圧してときの摩擦力に、第１、第２の締結部材の角ねじのフランク面によって生ずる摩擦力を加えるようにしている。
【００２１】  以下、図面に基づいて本発明の実施例を詳細に説明する。図１は、本発明に関わる締結部材により被締結体を締結した状態を示している。第１の実施例としては、第１の締結部材をナット１とし、第２の締結部材をボルト２とし、ボルト２のねじ軸の先端側にナット１を螺合することにより、被締結体３を締結している。これらナット１及びボルト２は、一般の市販品と同様に、鉄系の金属素材として、例えば、ＳＳ材、ＳＣＭ材、Ｓ４５Ｃ、ＳＵＳ３０４、ＳＵＳ３１６、チタン、或いは、黄銅等が使用される。その他、合成樹脂素材であってもよい。これらの素材は、弾性を有していることが好ましい。
【００２２】  図２〜図４に示すナット１は略円筒状に形成され、内周には、ねじ山の断面を正方形とした一輪の角ねじ１ａが形成されている。この角ねじ１ａは、一般的なナットと同様に、所定の外径、内径、谷径、及びピッチを有していて、ねじ山には、コイル状に傾斜したフランク面１ｂが形成されている。ここで、一輪とは、図示のように、ねじ山の一端から他端までの円周角を３６０°に形成した状態としている。ここで、この角ねじ１ａの一端をナット１の上端に一致させることが好ましい。なお、一輪としては、一端と他端との間に若干の隙間を設けるような略３５０°から、一端と他端とが多少重なるような略３７０°までの円周角に設定しても良い。
【００２３】  ナット１の外周側の上方に形成されるヘッド部１ｃは、一般と同様に、六角ナット状に形成されている。このヘッド部１ｃには、ヘッド部１ｃの下方の基部からテーパ部１ｄが一体形成されている。テーパ部１ｄは、ヘッド部１ｃと同芯でヘッド部１ｃよりも径大となるよう延出端側が徐々に拡径する筒状に形成されるとともに、延出端面が被締結体３に当接する座面１ｅが形成されている。さらに、テーパ部１ｄの座面１ｅ側の内側には、角ねじ１ａよりも大きい内径の空間部１ｆが形成されている。この空間部１ｆは、略すり鉢状の円錐曲面に形成され、空間部１ｆに対向する外周は、図示のように、凹面状の曲面に形成されている。このように構成されるテーパ部１ｄは、後述するように、弾性による弾力によって、弛み止め効果が一段と発揮される。
【００２４】  なお、図示の実施例は、空間部１ｆを略すり鉢状の円錐曲面に形成したが、角ねじ１ａの内径以上の内径を有する円筒状に形成しても良い。
【００２５】  一方、第２の締結部材としてのボルト２は、六角に形成されたヘッド部２ａと、このヘッド部２ａの基部から延出されたねじ軸２ｂが形成されている。そして、ねじ軸２ｂの先端側には、複数輪の角ねじ２ｃが形成されている。角ねじ２ｃには、ナット１に形成された一輪の角ねじ１ａが螺合する。
【００２６】  また、被締結体３は、上述したボルト２及びナット１によって締結される金属板或いは合成樹脂板であり、一種または２種の板を重合している。これらの被締結体３には、ボルト２のねじ軸２ｂを挿通するための貫通孔３ａが形成されている。
【００２７】    次に、以上のように構成されたボルト２及びナット１により被締結体３を締結する方法を説明する。まず、ボルト２のねじ軸２ｂを被締結体３の貫通孔３ａに挿通する。その後、図２に示すように、ボルト２のねじ軸２ｂの先端側に、ナット１をテーパ部１ｄ側から挿入し、ボルト２のねじ軸２ｂに形成された角ねじ２ｃにナット１に形成された一輪の角ねじ１ａを螺合する。
【００２８】  そして、ナット１を回動すると、テーパ部１ｄの延出端面に形成された座面１ｅが被締結体３の表面に当接し、さらに、ナット１を所定の力で回動すると、図５に示す矢示のように、座面１ｅを被締結体３に所定の押圧力Ｆ１で押圧すると、座面１ｅと被締結体３の表面とが面圧接状態で接合する。このとき、ナット１を被締結体３に押圧したときの押圧力Ｆ１は、反作用によってボルト２を押し上げられ、図５に示す矢示のように、ナット１のフランク面１ｂと、ボルト２のフランク面２ｄとが押圧力Ｆ２で押圧される。この押圧力Ｆ２は、座面１ｅを被締結体３に押圧する押圧力Ｆ１に等しく、ボルト２のフランク面２ｄとナット１のフランク面１ｂとが面圧接状態で接合する。
【００２９】  ここで重要な点は、ナット１に一輪の角ねじ１ａが形成されていることである。角ねじ１ａを一輪だけ形成することにより、ボルト２のフランク面２ｄとナット１の角ねじ１ａのフランク面１ｂとが、押圧力Ｆ２によりフランク面全面に均等に押圧させることが可能となる。この結果、ボルト２のフランク面２ｄとナット１のフランク面１ｂとの間に、大きな摩擦力を発生させることができる。
【００３０】  因みに、一般のボルトとナットの場合は、各々に複数のねじを形成していることから、或るフランク面の部分では強い圧力で圧接されるが、他の部分では弱い圧力または浮上するなど、接触圧力または接触面積にバラツキが生ずる。この結果、フランク面どうしの接合による摩擦力が小さくなることから、弛みの原因になっていた。
【００３１】  本発明によれば、ナット１の座面１ｅと被締結体３の表面との面圧接状態によって生ずる大きな摩擦力に、ボルト２のフランク面２ｄとナット１のフランク面１ｂとをフランク面全面を均等に圧接することによる大きな摩擦力が加わることによって、弛み止め効果を大幅に向上することができる。
【００３２】  一方、前述したように、ナット１のテーパ部１ｄは、空間部１ｆ側が略すり鉢状の円錐曲面に形成され、空間部１ｆに対向する外周が凹面状の曲面に形成され、弾性を有している。このため、被締結体３の表面とナット１の座面１ｅとは、テーパ部１ｄの弾力によって、図５に示す矢示Ｆ１の方向に一定の押圧力で圧接される。また、テーパ部１ｄは外方に向かう矢示Ｒの方向に拡開してバネ力が保持される。従って、被締結体３の表面に対するナット１の座面１ｅの圧接力は、ほぼ一定に保持され、このため摩擦力の低下が抑制されるので、弛み止め効果が維持される。なお、テーパ部１ｄの弾性変形量は、ナット１の素材の硬度によって異なるが、最大でも１０ミクロン程度である。さらに、テーパ部１ｄが外方に向けて拡開することにより、反作用によってナット１のヘッド部１ｃが図５に示す矢示Ｒ１の方向に収縮し、ナット１の一輪の角ねじ１ａ部分を締め付けるように作用するので、弛み止め効果を一層向上させることができる。
【００３３】  前述したように、ナット１に一輪の角ねじ１ａには、フランク面全面に押圧力Ｆ２によって押圧されるため、角ねじ１ａの耐荷重によっては破壊される可能性がある。そこで、図６に示すように、角ねじ１ａの軸線方向の幅ｗを高さｈよりも大きくして、角ねじ１ａの耐荷重を大きくするようにしても良い。このように、角ねじ１ａの幅ｗＷを大きくした場合には、ねじのピッチが大きくなることから、ボルト２に形成される角ねじ２ｃのピッチを大きくしてナット１に一輪の角ねじ１ａに合わせることが必要となる。
【００３４】  このような、第１の実施例において、ナット１を所定の押圧力Ｆ１で押圧したときに、被締結体３が比較的軟質の素材の場合、希には従来例と同様に、特異応力によって、ボルト２に近い内側とナット１の外周側が凹み、その間が隆起することがある。ところが、ナット１のテーパ部１ｄ内側には空間部１ｆが形成されていることから、隆起した部分が空間部１ｆに対応位置しているので、依然として座面１ｅと被締結体３の表面との面接合状態が維持されて圧接状態が保てることから、この間の摩擦力の低下が抑制され、弛み止め効果を維持することができる。
【００３５】  なお、本発明においては、例え必要以上の締め付け力で締め付けたとしても、ナット１のテーパ部１ｄの弾力により、テーパ部１ｄが外方に拡開して所定の圧接力に維持されるので、特異応力による隆起が発生し難くなる。また、ナット１は、テーパ部１ｄの内側に略すり鉢状の円錐曲面を形成しているが、この内側を円筒状に形成しても、隆起を避けるような内径に形成することにより、摩擦力の低下を抑制することができる。このような、特異応力による隆起を回避することは、後述する本発明の第２の実施例においても同様に作用する。
【００３６】  図７は、本発明の第２の実施例として、第１の締結部材をボルト５とし、第２の締結部材を被締結体６とし、ボルト５のねじ軸５ｂの先端側を被締結体６に螺合することにより、被締結体６を締結する例を示している。例えば金属板或いは合成樹脂板の一種または２種の板を重合させた被締結体６には、ねじ孔が形成され、このねじ孔には、複数輪の角ねじ６ａが形成されている。
【００３７】  ボルト５は、ヘッド部５ａが六角に形成され、このヘッド部５ａから延出されたねじ軸５ｂの先端側には、一輪の角ねじ５ｃが形成されている。さらに、ヘッド部５ａには、ヘッド部５ａの下方の基部からテーパ部５ｄが一体形成されている。テーパ部５ｄは、ヘッド部５ａと同芯でヘッド部５ａよりも径大となるよう延出端側が徐々に拡径する筒状に形成されるとともに、延出端面に被締結体６に当接する座面５ｅが形成されている。さらに、テーパ部５ｄの座面５ｅ側の内側には、角ねじ５ｃよりも大きい内径の空間部５ｆが形成されている。この空間部５ｆは、略すり鉢状の円錐曲面に形成され、空間部５ｆに対向する外周は、凹面状の曲面に形成されている。このように構成されるテーパ部５ｄは、前述したナット１に形成されたテーパ部１ｄと同様に、弾性によって、弛み止め効果が一段と発揮される。
【００３８】  以上のように構成されたボルト５の一輪の角ねじ５ｃを被締結体６のねじ孔に形成された複数輪の角ねじ６ａに螺合すると、前述した第１の実施例と同様に、テーパ部５ｄの延出端面に形成された座面５ｅが被締結体６の表面に当接するとともに、所定の押圧力Ｆ１で押圧し、座面５ｄと被締結体６の表面とが面圧接状態で接合する。この押圧力Ｆ１は、反作用によってボルト５の角ねじ５ｃを押圧することから、角ねじ５ｃのフランク面と、被締結体６のねじ孔に形成された角ねじ６ａのフランク面とが面圧接状態で接合する。これにより、第１の実施例と同様に、フランク面全面を均等に圧接することによる大きな摩擦力が加わることによって、弛み止め効果を大幅に向上することができる。
【００３９】  図８は、本発明の第３の実施例として、第１の締結部材をボルト５とし、第２の締結部材を被締結体６とし、ボルト５のねじ軸の先端側に形成された一輪の角ねじ５ｃを被締結体６に螺合することにより、被締結体６を締結する例を示している。この第３の実施例は、実質的に前述した第２の実施例と同じであるが、相違する点は、ヘッド部の下方から一体形成されるテーパ部５ｄを省略したことである。
【００４０】  この第３の実施例において、ボルト５に形成された一輪の角ねじ５ｃを被締結体６のねじ孔に形成された複数輪の角ねじ６ａに螺合すると、ヘッド部５ａの座面５ｆが被締結体６の表面に当接するとともに、所定の押圧力Ｆ１で押圧し、座面５ｆと被締結体６の表面とが面圧接状態で接合する。この押圧力Ｆ１は、反作用によってボルト５の角ねじ５ｃを押圧することから、角ねじ５ｃのフランク面と、被締結体６のねじ孔に形成された角ねじ６ａのフランク面とが面圧接状態で接合する。これにより、フランク面全面を均等に圧接することによる大きな摩擦力が加わることによって、弛み止め効果を大幅に向上することができることは、前述した実施例と同様である。
【００４１】  図９及び図１０は、前述した第１の実施例の変形例を示している。この例において、第１の実施例と相違している点は、ナット１の内周に形成された一輪の角ねじ１ａの一端に突起１ｇを突出形成したことである。この突起１ｇは、図９に示すように、角ねじ１ａの一端であって、ナット１のテーパ部１ｄとは反対の端面側に、テーパ部１ｄの方向に向けて突出している。突起１ｇの高さは、ナットのサイズに対応して決められるが、概ね０．０５ｍｍから０．５ｍｍとしている。
【００４２】  まず、第１の実施例において説明したように、被締結体３の貫通孔３ａに挿通したボルト２のねじ軸２ｂの先端側からナット１に形成された一輪の角ねじ１ａを螺合する。そして、角ねじ１ａの一端がボルト２のねじ軸２ｂの角ねじ２ｃに突起１ｇが到達する。その後、ナット１をさらに回動し、突起１ｇをボルト２の角ねじ２ｃの間に強制的に進入させる。ボルト２の角ねじ２ｃの間隔は、ナット１の一輪の角ねじ１ａの螺合を許容する程度の寸法に設定されているため、突起１ｇに進入によって、ナット１の一輪の角ねじ１ａはボルト２の角ねじ２ｃの間に強く挟持されて、ボルト２のフランク面２ｄとナット１のフランク面１ｂとの面圧接力がさらに増大する。この結果、フランク面どうしの摩擦力がさらに大きくなって、弛み止め効果をさらに向上することができる。なお、ボルト２の角ねじ２ｃの間に突起１ｇが進入するとき、突起１ｇは、図１０に示すように、塑性変形して低くなるが、金属素材が有する弾性によって、ボルト２のフランク面２ｄとナット１のフランク面１ｂとの面圧接力が減少することが阻止される。
【００４３】  以上、本発明を実施例に基づき具体的に説明したが、本発明は上記実施例に限定されるものではなく、その要旨を逸脱しない範囲で種々変形可能であることは言うまでもない。
前述した各実施例において、第１、第２の締結部材のヘッド部を六角に形成した例を示したが、六角穴付きボルトやフランジボルトの形状に変更しても良く、また、小型の場合には、ナベ頭小ねじ、トラス頭小ねじの形状に変更しても良い。
【産業上の利用可能性】
【００４４】  本考案は、機械器具、電機機械器具、車両、建設、建築、鉄道等に用いる被締結部材の締結に適用可能である。
【符号の説明】
【００４５】１    ナット（第１の締結部材）
１ａ  角ねじ
１ｂ  フランク面
１ｄ  テーパ部
１ｅ  座面
１ｆ  空間部
２    ボルト（第２の締結部材）
２ｂ  ねじ軸
２ｃ  角ねじ
３    被締結体
Ｆ１、Ｆ２  押圧力
【図１】
2013148214.tif 000003
【図２】
2013148214.tif 000004
【図３】
2013148214.tif 000005
【図４】
2013148214.tif 000006
【図５】
2013148214.tif 000007
【図６】
2013148214.tif 000008
【図７】
2013148214.tif 000009
【図８】
2013148214.tif 000010
【図９】
2013148214.tif 000011
【図１０】
2013148214.tif 000012
【図１１】
2013148214.tif 000013